(57)【要約】【課題】球検出手段の誤検出を防止し得る遊技機を提供する。【解決手段】裏ユニットボックス２４に、上下の左普通入賞口に入賞したパチンコ球Ｂを排出案内する左球通路２５が形成される。左球通路２５における上左普通入賞口に連通する第１左縦通路２７の下端部に形成した取着部２７ｂに、該通路２７に通過孔３０ｂを整合して左普通入賞センサ３０が配設される。第１左縦通路２７における後壁２５ｂには、取着部２７ｂより上方位置に、左普通入賞センサ３０の通過孔３０ｂにおける内縁より内方に突出する左突起３２が突設される。すなわち、上左普通入賞口に入賞し、第１左縦通路２７を流下するパチンコ球Ｂは、左突起３２に当たった後に左普通入賞センサ３０の通過孔３０ｂを通過する。【選択図】図４
2011030860.tif 000002
【特許請求の範囲】
【請求項１】
前側に遊技領域が画成される板部材と、該板部材の裏側に取付けられる裏ユニットからなる遊技盤を有し、前記板部材には遊技領域を流下する遊技球が入賞可能な入賞口が設けられると共に、入賞口に入賞した遊技球を案内する球通路が前記裏ユニットに形成されている遊技機において、
遊技球の通過を許容する通過孔を有し、該通過孔を前記球通路に合わせて配設されて、該通過孔を通過する遊技球を検出する球検出手段と、
前記球検出手段より上流の球通路の後壁に設けられ、球検出手段の通過孔の内縁より内方に突出する突起とを備える
ことを特徴とする遊技機。
【請求項２】
前記球通路は、前記球検出手段が配設されて上下方向に延在する縦通路と、入賞口に上流端で連通すると共に下流端が縦通路における前記突起の側方で連通接続するよう左側または右側に向けて下方傾斜する傾斜通路とを備え、該傾斜通路の断面積は、上流側より下流側が小さくなるよう設定される請求項１記載の遊技機。
【請求項３】
前記傾斜通路は、前記入賞口に連通する上流側の第１傾斜部と、前記縦通路に連通する下流側の第２傾斜部とが、遊技球の直径より大きな落差をもって連通接続されると共に、第２傾斜部における上壁の上流端に、第１傾斜部における底面の下流端より下方に延出する干渉部が設けられ、第１傾斜部から第２傾斜部に移動する遊技球が干渉部に当たるよう構成される請求項２記載の遊技機。
【請求項４】
前記傾斜通路の上流側に、前記入賞口に連通する別部材からなる球導入路が連通接続され、該球導入路の底面が傾斜通路の底面より高くなるよう設定される請求項２または３記載の遊技機。
【発明の詳細な説明】
【技術分野】
【０００１】
この発明は、板部材の遊技領域に設けられた入賞口に入賞した遊技球を、該板部材の裏側に配設された裏ユニットに形成した球通路を介して案内すると共に、該球通路に配設した球検出手段で遊技球の通過を検出するよう構成した遊技機に関するものである。
【背景技術】
【０００２】
代表的な遊技機であるパチンコ機は、機内にセットされる遊技盤の盤面に画成した遊技領域に装飾部材が配設され、該装飾部材に形成した開口部に、機裏側に配設した液晶式やドラム式等の図柄表示装置の表示部を臨ませると共に、該図柄表示装置による図柄変動の開始条件を付与する始動入賞装置が遊技領域に配設されている。そして、始動入賞装置に設けられた始動入賞口へのパチンコ球の入賞に基づいて、前記図柄表示装置で図柄組み合わせゲームやリーチ演出が行なわれ、表示部に所定の図柄が停止表示されたときに、大当り遊技状態を発生させて、遊技領域に配設されている特別入賞装置の特別入賞口を開放することで、遊技者に多くの賞球を獲得するチャンスを与えるようになっている。
【０００３】
前記遊技盤は、前側に遊技領域が画成されると共に始動入賞装置や特別入賞装置が配設される木製の合板や透明なアクリル板等からなる板部材の裏側に、前記始動入賞口や特別入賞口に入賞したパチンコ球を集合して機外に排出する球通路が形成された裏ユニットが配設されて構成される。また板部材には、前記始動入賞口や特別入賞口とは別に、遊技領域を流下するパチンコ球の入賞が可能な複数の普通入賞口が設けられ、各普通入賞口に入賞したパチンコ球は、前記裏ユニットに形成された前記球通路で集合されて機外に排出されるようになっている(例えば、特許文献１参照)。前記球通路には、該球通路を流下するパチンコ球、すなわち普通入賞口に入賞したパチンコ球を検出する球検出手段が配設され、該球検出手段の検出信号に基づいて所定数の賞球を払い出すよう構成されている。
【先行技術文献】
【特許文献】
【０００４】
【特許文献１】特開２００１−１４９５９７号公報
【発明の概要】
【発明が解決しようとする課題】
【０００５】
前記パチンコ機では、前記始動入賞口や特別入賞口および普通入賞口等の各入賞口に入賞したパチンコ球を検出する球検出手段による検出結果に基づいて賞球の払い出し個数が決定されるため、該球検出手段による正確なパチンコ球の検出が求められている。しかしながら、同じ入賞口に連続して複数のパチンコ球が入賞した場合、球検出手段に複数のパチンコ球が連なった状態で通過することがあり、このときには１個のパチンコ球が通過したと誤検出するおそれがあった。
【０００６】
また、前記パチンコ機では、複数の普通入賞口に入賞したパチンコ球を集合する前記球通路の最下流側に球検出手段を配設し、複数の普通入賞口に対するパチンコ球の入賞を１つの球検出手段で検出する構成を採用することがある。この場合において、球検出手段の配設位置から遠い位置の普通入賞口に入賞したパチンコ球ほど、球検出手段に至るまでの落下距離が長くなるために球検出手段を通過する際の速度が速くなり、該普通入賞口に複数のパチンコ球が連続して入賞した場合は、前述した誤検出が発生する確率が高くなる難点が指摘される。
【０００７】
すなわち本発明は、従来の技術に係る遊技機に内在する前記課題に鑑み、これを好適に解決するべく提案されたものであって、球検出手段の誤検出を防止し得る遊技機を提供することを目的とする。
【課題を解決するための手段】
【０００８】
前記課題を克服し、所期の目的を達成するため、本願の請求項１に係る発明は、
前側に遊技領域(11a)が画成される板部材(11)と、該板部材(11)の裏側に取付けられる裏ユニット(15)からなる遊技盤(10)を有し、前記板部材(11)には遊技領域(11a)を流下する遊技球(B)が入賞可能な入賞口(21a,21b,22a,22b)が設けられると共に、入賞口(21a,21b,22a,22b)に入賞した遊技球(B)を案内する球通路(25,26)が前記裏ユニット(15)に形成されている遊技機において、
遊技球(B)の通過を許容する通過孔(30b,38b)を有し、該通過孔(30b,38b)を前記球通路(25,26)に合わせて配設されて、該通過孔(30b,38b)を通過する遊技球(B)を検出する球検出手段(30,38)と、
前記球検出手段(30,38)より上流の球通路(25,26)の後壁(25b,39a)に設けられ、球検出手段(30,38)の通過孔(30b,38b)の内縁より内方に突出する突起(32,44)とを備えることを特徴とする。
【０００９】
請求項１の発明によれば、球検出手段の通過孔に入る前の遊技球が球通路に設けた突起に当たるよう構成したから、遊技球が連なっている場合には、前に突起を越えた遊技球に対して後の遊技球が突起に当たることで僅かな時間ではあるが堰き止められた状態となるから、前後の遊技球の間に隙間が生じ易く、球検出手段の通過孔を複数の遊技球が連なった状態で通過するのを回避して、誤検出を防止し得る。また、遊技球が突起に当たることで勢いが弱められるから、遊技球が通過孔を通過する際の速度を落として誤検出を確実に防止し得る。
【００１０】
請求項２に係る発明では、前記球通路(25,26)は、前記球検出手段(30,38)が配設されて上下方向に延在する縦通路(33)と、入賞口(22a)に上流端で連通すると共に下流端が縦通路(33)における前記突起(44)の側方で連通接続するよう左側または右側に向けて下方傾斜する傾斜通路(36,37)とを備え、該傾斜通路(36,37)の断面積は、上流側より下流側が小さくなるよう設定されることを要旨とする。
請求項２の発明によれば、遊技球が傾斜通路における断面積の大きい部位から小さい部位に移動する際に、遊技球が該通路の壁に接触する機会が多くなることで勢いを弱めることができ、遊技球が球検出手段の通過孔を通過する際の速度を落として誤検出の発生を防止し得る。
【００１１】
請求項３に係る発明では、前記傾斜通路(37)は、前記入賞口(22a)に連通する上流側の第１傾斜部(37a)と、前記縦通路(33)に連通する下流側の第２傾斜部(37b)とが、遊技球(B)の直径より大きな落差をもって連通接続されると共に、第２傾斜部(37b)における上壁(39b)の上流端に、第１傾斜部(37a)における底面の下流端より下方に延出する干渉部(45)が設けられ、第１傾斜部(37a)から第２傾斜部(37b)に移動する遊技球(B)が干渉部(45)に当たるよう構成されることを要旨とする。
請求項３の発明によれば、遊技球が第１傾斜部から第２傾斜部に移動する際に該遊技球が干渉部に当たることで勢いが弱められ、遊技球が球検出手段の通過孔を通過する際の速度を落として誤検出の発生を防止し得る。
【００１２】
請求項４に係る発明では、前記傾斜通路(37)の上流側に、前記入賞口(22a)に連通する別部材からなる球導入路(36)が連通接続され、該球導入路(36)の底面が傾斜通路(37)の底面より高くなるよう設定されることを要旨とする。
請求項４の発明によれば、球導入路から傾斜通路への円滑な流入を図ることができる。また、球導入路から傾斜通路へ遊技球が移動する際に底面の段差分だけ落下することで、連なった状態で流下する前後の遊技球の間に隙間を生じさせることができる。
【発明の効果】
【００１３】
本発明に係る遊技機によれば、球検出手段の誤検出を防止し得る。
【図面の簡単な説明】
【００１４】
【図１】本発明の好適な実施例に係るパチンコ機の遊技盤を示す正面図である。
【図２】実施例に係る裏ユニットの底面図である。
【図３】実施例に係る裏ユニットボックスの要部縦断正面図である。
【図４】実施例に係る裏ユニットボックスの左球通路を示す縦断正面図である。
【図５】実施例に係る裏ユニットボックスにおける図２のＡ−Ａ線断面図である。
【図６】実施例に係る裏ユニットボックスの右球通路を示す縦断正面図である。
【図７】実施例に係る裏ユニットボックスにおける図２のＢ−Ｂ線断面図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機の遊技盤を前側(遊技者側)から見た状態で指称する。
【実施例】
【００１６】
(遊技盤について)
実施例に係るパチンコ機の遊技盤１０は、図１に示すように、前面(盤面)にパチンコ球Ｂが流下可能な遊技領域１１ａが画成され、アクリルやポリカーボネート等の光透過性の合成樹脂材からなる平板状の板部材１１と、該板部材１１の裏面に組付けられて図柄表示装置１２が着脱可能に配設されると共に、可動演出装置１３や発光演出装置１４等の各種の遊技部品が配設される裏ユニット１５とから構成され、該裏ユニット１５に形成された前後に開口する開口部を介して図柄表示装置１２の表示面を前面側から視認し得るよう構成されている。なお、パチンコ機は、遊技店の設置枠に設置されて遊技に供される状態では、前記遊技盤１０は上端側が所定角度だけ後側に傾く後傾姿勢に保持されて、パチンコ球Ｂは前面(盤面)に沿って流下するようになっている。
【００１７】
図１に示すように、前記板部材１１の前面には、円弧状に形成した案内レール１６が配設されると共に、該案内レール１６の右方位置に、左端縁が右方に凹む円弧状に形成した盤面飾り部材１７が配設されている。そして、案内レール１６および盤面飾り部材１７により前記遊技領域１１ａが略円形状に画成される。また、板部材１１の遊技領域１１ａには、前記裏ユニット１５に形成された開口部の前側に前後に貫通する貫通口が形成されており、裏ユニット１５に形成された開口部および板部材１１の貫通口から遊技盤１０の可視部が構成される。そして、該貫通口に対して、前後に開口する枠状装飾体１８が配設され、該枠状装飾体１８の窓口１８ａに前記図柄表示装置１２の表示面が臨むよう構成される。
【００１８】
前記板部材１１には、枠状装飾体１８の下方位置に、前記遊技領域１１ａを流下するパチンコ球Ｂが入賞可能な始動入賞装置１９や特別入賞装置２０が配設されている。始動入賞装置１９には、前記遊技領域１１ａを流下するパチンコ球Ｂが入賞可能な始動入賞口(入賞口)１９ａが設けられ、該始動入賞口１９ａへ入賞したパチンコ球Ｂが始動入賞センサ(図示せず)で検出されることで、前記図柄表示装置１２の表示面で図柄変動が開始されると共に、所定数(例えば５個)のパチンコ球Ｂが賞球としてパチンコ機に設けられる図示しない上下の球受け皿に払い出されるようになっている。また特別入賞装置２０には、前後に開口する横長の特別入賞口(入賞口)２０ａが開設されると共に、該特別入賞口２０ａを開閉自在に閉成する開閉扉２０ｂが設けられている。そして、前記図柄表示装置１２で行なわれる図柄変動演出の結果、該図柄表示装置１２に所定の図柄組み合わせ(例えば同一図柄の三つ揃い等)で図柄が停止表示されることで所謂「大当り」が発生し、これにより特別入賞装置２０の特別入賞口２０ａが開放され、該特別入賞口２０ａに入賞したパチンコ球Ｂが特別入賞センサ(図示せず)で検出されることで、多数の賞球が上下の下球受け皿に払い出されるよう構成される。
【００１９】
(普通入賞口について)
前記板部材１１には、前記始動入賞装置１９および特別入賞装置２０を挟む左右両側に普通入賞口(入賞口)２１ａ,２１ｂ,２２ａ,２２ｂが夫々設けられている。実施例では、図１に示す如く、入賞装置１９,２０の左側に、上下および左右に離間して上左普通入賞口２１ａと下左普通入賞口２１ｂが設けられると共に、入賞装置１９,２０の右側に、上下および左右に離間して上右普通入賞口２２ａと下右普通入賞口２２ｂが設けられている。そして、各普通入賞口２１ａ,２１ｂ,２２ａ,２２ｂに入賞したパチンコ球Ｂを、前記裏ユニット１５の後述する球通路２５,２６に設けた普通入賞センサ(球検出手段)３０,３８(図３〜図７参照)が検出することで、所定数(例えば１０個)の賞球が前記上下の球受け皿に払い出されるようになっている。
【００２０】
前記左普通入賞口２１ａ,２１ｂは、前記裏ユニット１５に形成されている後述する左球通路２５に樋部(図示せず)を介して連通し、前記右普通入賞口２２ａ,２２ｂは、裏ユニット１５に形成されている後述する右球通路２６に樋部(図示せず)を介して連通するよう構成される。実施例では、図１に示す如く、下側に位置する左右の普通入賞口２１ｂ,２２ｂは、遊技盤１０の幅方向の中間を通る縦中央線を挟んで左右対称となる位置に設けられるのに対し、上側に位置する左右の普通入賞口２１ａ,２２ａは、縦中央線を挟んで左右対称の位置ではなく、上右普通入賞口２２ａが上および右にずれた位置に設けられている。すなわち、上下の右普通入賞口２２ａ,２２ｂの離間間隔は、上下の左普通入賞口２１ａ,２１ｂの離間間隔より広くなっている。
【００２１】
前記裏ユニット１５は、前記枠状装飾体１８の窓口１８ａを囲う枠状に形成されて前記板部材１１の裏面に配設される板状の裏ユニットベース２３と、前側に開口する箱状に形成されて裏ユニットベース２３の裏側に配設される裏ユニットボックス２４とから構成される(図２参照)。裏ユニットボックス２４の下部位置には、図３〜図７に示すように、前記板部材１１に設けられた左普通入賞口２１ａ,２１ｂと対応する位置に、両左普通入賞口２１ａ,２１ｂに入賞したパチンコ球Ｂを遊技盤１０の下方へ排出案内する左球通路２５が形成されると共に、板部材１１に設けられた右普通入賞口２２ａ,２２ｂと対応する位置に、両右普通入賞口２２ａ,２２ｂに入賞したパチンコ球Ｂを遊技盤１０の下方へ排出案内する右球通路２６が形成されている。
【００２２】
(左球通路について)
前記左球通路２５は、図４および図５に示す如く、前方に開口する複数の通路２７,２８,２９を連通して構成され、各通路２７,２８,２９を画成する壁部の前端は、裏ユニットボックス２４を板部材１１の裏面に配設された裏ユニットベース２３の裏面に取付けた際に、該ベース２３の裏面に当接して、該左球通路２５の前方開口は裏ユニットベース２３により塞がれるようになっている。左球通路２５は、上左普通入賞口２１ａに連通する第１左縦通路２７と、下左普通入賞口２１ｂに連通する第２左縦通路２８とを、左傾斜通路２９を介して連通して構成されて、両左普通入賞口２１ａ,２１ｂに入賞したパチンコ球Ｂを、集合して第１左縦通路２７の下流端(下端)に形成した左球排出口２７ａを介して排出するよう構成される。なお、裏ユニットベース２３には、板部材１１における各左普通入賞口２１ａ,２１ｂと対応する位置に、前記窓口１８ａと対応する開口部側に開口すると共に前後方向に延在する樋状の左凹部２３ａが夫々形成され(図５に上左普通入賞口２１ａに対応するもののみ図示)、該左凹部２３ａを介して各左普通入賞口２１ａ,２１ｂが対応する第１左縦通路２７および第２左縦通路２８に連通している。
【００２３】
前記第１左縦通路２７は、上端部(上流端部)が前記上左普通入賞口２１ａに連通して上下方向に延在し、該第１左縦通路２７における前記左傾斜通路２９との連通部より下側に、球検出手段としての左普通入賞センサ３０が取付けられる取着部２７ｂが形成されており、両左普通入賞口２１ａ,２１ｂに入賞したパチンコ球Ｂを、該取着部２７ｂに取付けた左普通入賞センサ３０で検出することで賞球が払い出されるようになっている。左普通入賞センサ３０は、図４および図５に示す如く、本体３０ａに上下方向に貫通形成された通過孔３０ｂを、第１左縦通路２７に整合した状態で取着部２７ｂに取付けられ、第１左縦通路２７を流下するパチンコ球Ｂが通過孔３０ｂを通過するよう構成される。左普通入賞センサ３０としては、通過孔３０ｂ内に突出する検出片３０ｃを有し、通過孔３０ｂをパチンコ球Ｂが通過する際に検出片３０ｃが押されることでパチンコ球Ｂを検出する機械式のスイッチが用いられる。
【００２４】
前記第２左縦通路２８は、上端部(上流端部)が前記下左普通入賞口２１ｂに連通し、該第２左縦通路２８の下端部(下流端部)に、左側(第１左縦通路２７)に向けて下方傾斜する左傾斜通路２９の上流端部が連通接続される。そして、左傾斜通路２９の下流端部が、前記第１左縦通路２７における前記取着部２７ｂより上方の右側部に連通接続されて、下左普通入賞口２１ｂに入賞したパチンコ球Ｂを、第２左縦通路２８、左傾斜通路２９を介して第１左縦通路２７に通入するよう構成される。
【００２５】
前記第１左縦通路２７における上左普通入賞口２１ａとの連通部には、図５に示す如く、該第１左縦通路２７を画成する上壁２５ａおよび後壁２５ｂに、下側に向かうにつれて後側に弧状に凹む左導入案内部３１が形成され、上左普通入賞口２１ａに入賞したパチンコ球Ｂを、該左導入案内部３１によって下側に向けて案内するよう構成される。また第１左縦通路２７を画成する後壁２５ｂには、該左導入案内部３１と前記左普通入賞センサ３０の取着部２７ｂとの間の位置に、通路内方に突出する左突起(突起)３２が形成されている。この左突起３２は、図５に示す如く、取着部２７ｂに取付けられた左普通入賞センサ３０における通過孔３０ｂの内縁より内方に突出するよう設定され、第１左縦通路２７を流下するパチンコ球Ｂは、該左突起３２に当たった後に通過孔３０ｂを通過するよう構成される。なお、左突起３２の前端と、第１左縦通路２７の前壁として機能する前記裏ユニットベース２３の裏面との離間間隔は、パチンコ球Ｂの直径より大きく設定されて該パチンコ球Ｂの通過を許容するよう構成されている。また左突起３２は、図４に示す如く、第１左縦通路２７と左傾斜通路２９との連通部の側方に位置しており、左傾斜通路２９から第１左縦通路２７に通入するパチンコ球Ｂが左突起３２に側方から当たるよう構成してある。
【００２６】
(右球通路について)
前記右球通路２６は、図６および図７に示す如く、前方に開口する複数の通路３３,３４,３５,３６,３７を連通して構成され、各通路３３,３４,３５,３６,３７を画成する壁部の前端は、前記裏ユニットボックス２４を板部材１１の裏面に配設した裏ユニットベース２３の裏面に取付けた際に、該ベース２３の裏面に当接して、該右球通路２６の前方開口は裏ユニットベース２３により塞がれるようになっている。右球通路２６は、下右普通入賞口２２ｂに連通する第１右縦通路(縦通路)３３と、上右普通入賞口２２ａに連通する第２右縦通路３４とを、第１右傾斜通路３５、球導入路３６および第２右傾斜通路３７を介して連通して構成されて、両右普通入賞口２２ａ,２２ｂに入賞したパチンコ球Ｂを、集合して第１右縦通路３３の下流端(下端)に形成した右球排出口３３ａを介して排出するよう構成される。なお、裏ユニットベース２３には、板部材１１における各右普通入賞口２２ａ,２２ｂと対応する位置に、前記窓口１８ａと対応する開口部側に開口すると共に前後方向に延在する樋状の右凹部２３ｂが夫々形成され(図７に下右普通入賞口２２ｂに対応するもののみ図示)、該右凹部２３ｂを介して各右普通入賞口２２ａ,２２ｂが対応する第１右縦通路３３および第２右縦通路３４に連通するようになっている。
【００２７】
前記第１右縦通路３３は、上端部(上流端部)が前記下右普通入賞口２２ｂに連通して上下方向に延在し、該第１右縦通路３３における前記第２右傾斜通路３７との連通部より下側に、球検出手段としての右普通入賞センサ３８が取付けられる取着部３３ｂが形成されており、両右普通入賞口２２ａ,２２ｂに入賞したパチンコ球Ｂを、該取着部３３ｂに取付けた右普通入賞センサ３８で検出することで賞球が払い出されるようになっている。なお、右普通入賞センサ３８は、前記左普通入賞センサ３０と同一のものであって、図６および図７に示す如く、本体３８ａに上下方向に貫通形成された通過孔３８ｂを、第１右縦通路３３に整合した状態で取着部３３ｂに取付けられ、第１右縦通路３３を流下するパチンコ球Ｂが通過孔３８ｂを通過するよう構成される。そして、右普通入賞センサ３８は、通過孔３８ｂをパチンコ球Ｂが通過する際に、該通過孔３８ｂ内に突出する検出片３８ｃがパチンコ球Ｂで押されることで検出するよう構成される。
【００２８】
前記第２右縦通路３４は、上端部(上流端部)が前記上右普通入賞口２２ａに連通し、該第２右縦通路３４の下端部(下流端部)に、右側に向けて下方傾斜する第１右傾斜通路３５の上流端部が連通接続される。また第１右傾斜通路３５の下流端部に、左側(第１右縦通路３３)に向けて下方傾斜する球導入路３６の上流端部が連通接続され、該球導入路３６の下流端部は、全体として左側(第１右縦通路３３)に向けて下方傾斜する第２右傾斜通路３７の上流端部に連通接続されている(図６参照)。そして、第２右傾斜通路３７の下流端部が、前記第１右縦通路３３における前記取着部３３ｂより上方の右側部に連通接続されて、上右普通入賞口２２ａに入賞したパチンコ球Ｂを、第２右縦通路３４、第１右傾斜通路３５、球導入路３６および第２右傾斜通路３７を介して第１右縦通路３３に通入するよう構成される。
【００２９】
前記第１右縦通路３３および第２右傾斜通路３７は、裏ユニットボックス２４とは別体の通路形成部材３９に形成されており、該通路形成部材３９が複数の位置決めピン４０やネジ４１によって裏ユニットボックス２４に前側から位置決め固定されるようになっている。通路形成部材３９は、後壁３９ａと、該後壁３９ａから前方に突出する複数の壁部(上壁,下壁等)３９ｂ,３９ｃとにより、前方に開口する第１右縦通路３３および前方および右側方に開口する第２右傾斜通路３７を画成している。また後壁３９ａには、壁部から外方に延出するフランジ部４２が複数箇所に設けられ、該フランジ部４２には前後方向に貫通する位置決め孔４２ａや通孔４２ｂが形成されている。そして、通路形成部材３９は、裏ユニットボックス２４に設けた複数の位置決めピン４０に、対応する位置決め孔４２ａを前側から挿通するようにして位置決めしたもとで、各通孔４２ｂに前側から挿通したネジ４１を、裏ユニットボックス２４の対応するネジ孔に螺挿することで、該通路形成部材３９が裏ユニットボックス２４に位置決め固定される。通路形成部材３９を裏ユニットボックス２４に位置決め固定した状態で、前記第２右傾斜通路３７を画成する下壁３９ｃの上流端において、その上面(第２右傾斜通路３７の底面)が、図６に示す如く、前記球導入路３６における下流端の底面より低くなるよう設定されて、球導入路３６と第２右傾斜通路３７との連通部において段差が形成されるよう構成される。
【００３０】
前記通路形成部材３９の第１右縦通路３３における下右普通入賞口２２ｂとの連通部には、図７に示す如く、該第１右縦通路３３を画成する上壁３９ｂおよび後壁３９ａに、下側に向かうにつれて後側に弧状に凹む右導入案内部４３が形成され、下右普通入賞口２２ｂに入賞したパチンコ球Ｂを、該右導入案内部４３によって下側に向けて案内するよう構成される。また、第１右縦通路３３を画成する後壁３９ａには、該右導入案内部４３と前記右普通入賞センサ３８の取着部３３ｂとの間の位置に、後述する突壁４６の前面から通路内方に突出する右突起(突起)４４が形成されている。この右突起４４は、図７に示す如く、取着部３３ｂに取付けられた右普通入賞センサ３８における通過孔３８ｂの内縁より内方に突出するよう設定され、第１右縦通路３３を流下するパチンコ球Ｂは、該右突起４４に当たった後に通過孔３８ｂを通過するよう構成される。なお、右突起４４の前端と、第１右縦通路３３の前壁として機能する前記裏ユニットベース２３の裏面との離間間隔は、パチンコ球Ｂの直径より大きく設定されて該パチンコ球Ｂの通過を許容するよう構成してある。
【００３１】
前記第２右傾斜通路３７は、図６に示す如く、前記球導入路３６の下流端に連通する上流側の第１傾斜部３７ａと、前記第１右縦通路３３に連通する下流側の第２傾斜部３７ｂとが、パチンコ球Ｂの直径より大きな落差をもって連通接続されて構成される。第１および第２傾斜部３７ａ,３７ｂの底面は、何れも左側(第１右縦通路３３)に向けて下方傾斜するよう形成されて、パチンコ球Ｂの流れが滞ることがないようにしてある。また、第１傾斜部３７ａと第２傾斜部３７ｂとの連通部において、第１傾斜部３７ａにおける底面の下流端と第２傾斜部３７ｂを画成する上壁３９ｂの上流端とはパチンコ球Ｂの直径より大きく離間すると共に、該第２傾斜部３７ｂを画成する上壁３９ｂの上流端には、第１傾斜部３７ａにおける底面の下流端より下方に延出する干渉部４５が突設されている。この干渉部４５の突出寸法は、第１傾斜部３７ａを流下してその底面から離れて落下する途中のパチンコ球Ｂが当たり、かつ干渉部４５の下端と第２傾斜部３７ｂの底面との離間間隔がパチンコ球Ｂの直径より大きくなるよう設定される。すなわち、第１傾斜部３７ａから飛び出したパチンコ球Ｂが干渉部４５に当たることで勢いを弱めると共に、第２傾斜部３７ｂに落下したパチンコ球Ｂが該第２傾斜部３７ｂを流下するのを干渉部４５が阻害しないよう構成してある。
【００３２】
前記第２右傾斜通路３７を画成する後壁３９ａの前面(通路内側の面)には、上下方向の略中央で、底面に沿って流下するパチンコ球Ｂの外周における最も後側に臨む部位が接触する位置に、該傾斜通路３７に沿って突壁４６が突設され、該突壁４６の形成位置において第２右傾斜通路３７の前後寸法が小さくなるよう構成される。突壁４６の上流端部には、上流側に向かうにつれて後壁３９ａに近接する傾斜面４６ａが形成され、前記球導入路３６からのパチンコ球Ｂが円滑に通入し得るようになっている。また突壁４６の下流端部は、後壁３９ａにおける前記第１右縦通路３３を画成する部位までに亘って形成され、該第１右縦通路３３に臨む突壁４６の前面に前記右突起４４が突設されている。すなわち、第２右傾斜通路３７における第２傾斜部３７ｂを底面および突壁４６に接触した状態で流下するパチンコ球Ｂは、該第２傾斜部３７ｂから第１右縦通路３３に通入する際に、前記右突起４４に側方から当たるよう構成されている。なお、第１右縦通路３３に形成された前記右導入案内部４３の下端が突壁４６の上側に連設されると共に、その前端位置が同じとなるよう設定される(図７参照)。
【００３３】
実施例では、前記第２右傾斜通路３７の上流側に連通接続する球導入路３６を傾斜通路の一部と見做すことができ、前記突壁４６が形成されていない球導入路３６の断面積は、突壁４６が形成されている第２右傾斜通路３７の断面積より大きくなるよう構成される。すなわち、傾斜通路の断面積は、上流側より下流側が小さくなるよう設定され、この断面積が変化する部位(球導入路３６と第１傾斜部３７ａとの連通部)をパチンコ球Ｂが通過する際に、該パチンコ球Ｂが前壁(裏ユニットベース２３の裏面)に接触する機会を多くすることで勢い(速度)を低下させ得るようになっている。
【００３４】
前記右通路２６には、図３に示す如く、前記第１右傾斜通路３５および球導入路３６の上流端に下流端で連通接続する補助通路４７が上下方向に延在するよう形成されている。この補助通路４７は、図１において前記板部材１１における枠状装飾体１８の右側方の遊技領域１１ａに配設される補助入賞口４８に上流端で連通接続可能に構成される。この補助入賞口４８は、必要に応じて使用されるものであって、遊技盤１０の第１の仕様においては、図示しない規制具によってパチンコ球Ｂが入賞しないよう構成され、遊技盤１０の第２の仕様においては規制具を取外すことでパチンコ球Ｂが入賞可能に構成されるものである。そして、規制具を取外した際には、補助入賞口４８に入賞したパチンコ球Ｂが、補助通路４７を介して球導入路３６に通入するよう構成される。
【００３５】
〔実施例の作用〕
次に、前述した実施例に係るパチンコ機の作用につき説明する。
【００３６】
前記遊技領域１１ａに打ち出されたパチンコ球Ｂは、該遊技領域１１ａを流下し、前記始動入賞装置１９の始動入賞口１９ａや左右の普通入賞口２１ａ,２１ｂ,２２ａ,２２ｂに入賞可能となる。
【００３７】
(上左普通入賞口に入賞した場合について)
前記上左普通入賞口２１ａに入賞したパチンコ球Ｂは、前記左球通路２５における第１左縦通路２７の上端部側に通入する。このパチンコ球Ｂは、遊技盤１０が後傾姿勢になっていると共に左導入案内部３１に案内されることで、第１左縦通路２７を画成する後壁２５ｂに沿って流下する。そして、前記左突起３２に上方から当たったパチンコ球Ｂは、前側に変位して前壁(裏ユニットベース２３の裏面)に当たった後に、前記左普通入賞センサ３０の通過孔３０ｂを通過する(図５参照)。すなわち、第１左縦通路２７を流下するパチンコ球Ｂは、左普通入賞センサ３０の通過孔３０ｂを通過する直前に左突起３２および前壁に当たることで勢いが弱められるから、該通過孔３０ｂをパチンコ球Ｂが通過する速度を遅くすることができる。従って、左普通入賞センサ３０の通過孔３０ｂを複数のパチンコ球Ｂが通過する際の前後間隔が短かい場合であっても、該パチンコ球Ｂの速度が遅くなっているから個々のパチンコ球Ｂを確実に検出することができ、誤検出を防止し得る。
【００３８】
また、上左普通入賞口２１ａに複数のパチンコ球Ｂが連続して入賞した場合においては、左突起３２を越えた前のパチンコ球Ｂに対し、後のパチンコ球Ｂが左突起３２に当たることで短かい時間ではあるが堰き止められた状態となるから、前後のパチンコ球Ｂ,Ｂの間に隙間を形成することができ、パチンコ球Ｂ,Ｂが連なった状態のまま左普通入賞センサ３０の通過孔３０ｂを通過するのを回避し得る。従って、上左普通入賞口２１ａに複数のパチンコ球Ｂが入賞したにも関わらず、左普通入賞センサ３０が１個のパチンコ球Ｂが通過したと誤検出するのを確実に防止することができ、遊技者に不信感を与えたり遊技店とのトラブルを招くのを防止し得る。
【００３９】
(下左普通入賞口に入賞した場合について)
前記下左普通入賞口２１ｂに入賞したパチンコ球Ｂは、前記左球通路２５の第２左縦通路２８に通入し、前記左傾斜通路２９を通って前記第１左縦通路２７に通入する。このパチンコ球Ｂは、前記左突起３２に側方から当たることで前方に変位して前壁(裏ユニットベース２３の裏面)に当たった後に、前記左普通入賞センサ３０の通過孔３０ｂを通過する。すなわち、下左普通入賞口２１ｂに入賞したパチンコ球Ｂにおいても、前記上左普通入賞口２１ａに入賞したパチンコ球Ｂと同様に左普通入賞センサ３０の通過孔３０ｂを通過する直前に左突起３２および前壁に当たることで勢いが弱められ、該通過孔３０ｂをパチンコ球Ｂが通過する速度を遅くすることができる。従って、左普通入賞センサ３０の通過孔３０ｂを複数のパチンコ球Ｂが通過する際の前後間隔が短かい場合であっても、該パチンコ球Ｂの速度が遅くなっているから個々のパチンコ球Ｂを確実に検出することができ、誤検出を防止し得る。
【００４０】
また、下左普通入賞口２１ｂに複数のパチンコ球Ｂが連続して入賞した場合においても、前述したと同様に後側のパチンコ球Ｂが左突起３２で堰き止められる状態となることで、前後のパチンコ球Ｂ,Ｂの間に隙間を形成することができ、パチンコ球Ｂ,Ｂが連なった状態のまま左普通入賞センサ３０の通過孔３０ｂを通過するのを回避し得る。従って、下左普通入賞口２１ｂに複数のパチンコ球Ｂが入賞したにも関わらず、左普通入賞センサ３０が１個のパチンコ球Ｂが通過したと誤検出するのを確実に防止することができ、遊技者に不信感を与えたり遊技店とのトラブルを招くのを防止し得る。
【００４１】
(右上普通入賞口に入賞した場合について)
前記上右普通入賞口２２ａに入賞したパチンコ球Ｂは、前記右球通路２６の第２右縦通路３４に通入し、前記第１右傾斜通路３５を通って球導入路３６に至り、該球導入路３６から第２右傾斜通路３７の第１傾斜部３７ａに通入する。第１傾斜部３７ａの上流端の底面と、球導入路３６の下流端の底面との間には図６に示すように段差が形成されているから、球導入路３６から第１傾斜部３７ａに通入するパチンコ球Ｂは、底面の段差分だけ落下する。また、第２右傾斜通路３７を画成する後壁３９ａには突壁４６が突設されて、球導入路３６の断面積より第２右傾斜通路３７の断面積が小さくなっている。なお、遊技盤１０は、前述したように後傾姿勢となっているから、球導入路３６から第２右傾斜通路３７に通入するパチンコ球Ｂは、底面および後壁３９ａに接触した状態で移動する。従って、第２右傾斜通路３７に通入するパチンコ球Ｂは、前記突壁４６に接触することで流下方向が前方に変えられ、通路の前壁(裏ユニットベース２３の裏面)に接触し易くなる。すなわち、パチンコ球Ｂが通路の壁に接触する機会が多くなることで勢いを弱めることができる。なお、前記突壁４６の上流端部には傾斜面４６ａが形成されているから、球導入路３６から第２右傾斜通路３７へのパチンコ球Ｂの移動は円滑になされ、球詰りが発生するのは防止される。
【００４２】
前記第２右傾斜通路３７における第１傾斜部３７ａの下流端から飛び出すパチンコ球Ｂは、前記干渉部４５に当たって第２傾斜部３７ｂの底面に落下し、該第２傾斜部３７ｂの底面を流下する。すなわち、パチンコ球Ｂが干渉部４５に当たることで、該パチンコ球Ｂの勢いは弱められ、第２傾斜部３７ｂを流下するパチンコ球Ｂの速度は遅くなる。そして、第２傾斜部３７ｂから前記第１右縦通路３３に通入するパチンコ球Ｂは、前記右突起４４に側方から当たることで前方に変位して前壁に当たった後に、前記右普通入賞センサ３８の通過孔３８ｂを通過する。
【００４３】
すなわち、上右普通入賞口２２ａに入賞したパチンコ球Ｂは、球導入路３６から第２右傾斜通路３７に通入する際に突壁４６により流下方向が変えられることで通路の前壁に当たること、干渉部４５および右突起４４に当たること、等によって勢いが弱められるから、右普通入賞センサ３８の通過孔３８ｂを通過する際の速度を遅くすることができる。特に、上右普通入賞口２２ａから右普通入賞センサ３８までの経路は長いため、通路を流通する過程でパチンコ球Ｂの速度は速くなるが、実施例では上右普通入賞口２２ａに入賞したパチンコ球Ｂが右普通入賞センサ３８に至るまでの間に複数回に亘って勢いを弱めることができるから、右普通入賞センサ３８の通過孔３８ｂを通過する際のパチンコ球Ｂの速度を充分に遅くすることができる。従って、右普通入賞センサ３８の通過孔３８ｂを複数のパチンコ球Ｂが通過する際の前後間隔が短かい場合であっても、個々のパチンコ球Ｂを確実に検出することができ、誤検出を防止し得る。
【００４４】
また、前記上右普通入賞口２２ａに入賞したパチンコ球Ｂは、前記球導入路３６から第２右傾斜通路３７に通入する際の段差を落下する変位、突壁４６による前方への変位、干渉部４５に当たって落下する際の変位、右突起４４に当たった際の前方への変位等、複数箇所においてパチンコ球Ｂを変位させるよう構成したから、上右普通入賞口２２ａに複数のパチンコ球Ｂが連続して入賞した場合においても、前後のパチンコ球Ｂ,Ｂを確実に離間させることができ、複数のパチンコ球Ｂ,Ｂが連なった状態のまま右普通入賞センサ３８の通過孔３８ｂを通過するのを回避し得る。特に、パチンコ球Ｂが干渉部４５や右突起４４に当たった際には、該パチンコ球Ｂは一瞬堰き止められる状態となるから、先行するパチンコ球Ｂとの間に確実に隙間を形成し得る。従って、上右普通入賞口２２ａに複数のパチンコ球Ｂが入賞したにも関わらず、右普通入賞センサ３８が１個のパチンコ球Ｂが通過したと誤検出するのを確実に防止することができ、遊技者に不信感を与えたり遊技店とのトラブルを招くのを防止し得る。
【００４５】
(下右普通入賞口に入賞した場合について)
前記下右普通入賞口２２ｂに入賞したパチンコ球Ｂは、前記右球通路２６の第１右縦通路３３の上端部側に通入する。このパチンコ球Ｂは、遊技盤１０が後傾姿勢になっていると共に右導入案内部４３に案内されることで、第１右縦通路３３を画成する後壁３９ａに沿って流下する。そして、前記右突起４４に上方から当たったパチンコ球Ｂは、前側に変位して前壁(裏ユニットベース２３の裏面)に当たった後に、前記右普通入賞センサ３８の通過孔３８ｂを通過する(図７参照)。すなわち、第１右縦通路３３を流下するパチンコ球Ｂは、右普通入賞センサ３８の通過孔３８ｂを通過する直前に右突起４４および前壁に当たることで勢いが弱められるから、該通過孔３８ｂをパチンコ球Ｂが通過する速度を遅くすることができる。従って、右普通入賞センサ３８の通過孔３８ｂを複数のパチンコ球Ｂが通過する際の前後間隔が短かい場合であっても、該パチンコ球Ｂの速度が遅くなっているから個々のパチンコ球Ｂを確実に検出することができ、誤検出を防止し得る。
【００４６】
また、下右普通入賞口２２ｂに複数のパチンコ球Ｂが連続して入賞した場合においても、前述したと同様に後側のパチンコ球Ｂが右突起４４で堰き止められる状態となることで、前後のパチンコ球Ｂ,Ｂの間に隙間を形成することができ、パチンコ球Ｂ,Ｂが連なった状態のまま右普通入賞センサ３８の通過孔３８ｂを通過するのを回避し得る。従って、下右普通入賞口２２ｂに複数のパチンコ球Ｂが入賞したにも関わらず、右普通入賞センサ３８が１個のパチンコ球Ｂが通過したと誤検出するのを確実に防止することができ、遊技者に不信感を与えたり遊技店とのトラブルを招くのを防止し得る。
【００４７】
前記右球通路２６においては、前記第１右縦通路３３および第２右傾斜通路３７を画成する通路形成部材３９を裏ユニットボックス２４とは別体で形成したから、右突起４４や干渉部４５および突壁４６等のパチンコ球Ｂの勢い(速度)等を低減するための手段を裏ユニットボックス２４に直に形成する場合に比べて裏ユニットボックス２４の構成を簡略化することができ、金型費等の製造コストを低く抑えることができる。また、通路形成部材３９を別体としたことで、前記球導入路３６と第２右傾斜通路３７との段差を容易に形成することができる。
【００４８】
ここで、前記遊技盤１０を第２の仕様で使用する場合には、前記補助入賞口４８から規制具を取外すことで、該補助入賞口４８に入賞したパチンコ球Ｂは、前記補助通路４７を介して球導入路３６に通入し、以後は上右普通入賞口２２ａに入賞したパチンコ球Ｂと同様に、複数箇所で勢いが弱められると共に、前後のパチンコ球Ｂの間には確実に隙間が形成され、前述したと同様の効果を奏する。また実施例では、第２の仕様でのみ使用される補助入賞口４８に連通する補助通路４７を裏ユニットボックス２４に予め形成してあるから、仕様変更に際して裏ユニットボックス２４を交換する必要はなく、仕様変更に際してのコストの上昇を抑制し得る。
【００４９】
(変更例)
本願は前述した実施例の構成に限定されるものではなく、その他の構成を適宜に採用することができる。
(1) 遊技盤を構成する板部材は、アクリルやポリカーボネート等の光透過性の合成樹脂材からなる透明板に限らず木製であってもよい。
(2) 実施例では、裏ユニットを裏ユニットベースと裏ユニットボックスとから構成したが、裏ユニットボックスのみであってもよく、この場合は裏ユニットボックスを板部材の裏面に直に取付けることで、該ボックスに形成される球通路の前方開口が板部材によって塞がれる。すなわち、板部材の裏面が球通路の前壁となる。
(3) 実施例では、普通入賞口に入賞したパチンコ球を排出案内する球通路に、各種の勢いを弱めるための手段および前後のパチンコ球に隙間を形成するための手段を設けたが、始動入賞口や特別入賞口に入賞したパチンコ球を排出案内する球通路に同様の構成を採用することができる。
(4) 実施例では、２つの普通入賞口に入賞したパチンコ球を球通路で集合して１つの普通入賞センサで検出するよう構成したが、１つの普通入賞センサで検出するパチンコ球が入賞する普通入賞口は、１つあるいは３つ以上であってもよい。
(5) 実施例では、突起が後壁に形成される縦通路に連通する傾斜通路は、縦通路の右側に左下方傾斜する状態で連通する構成で説明したが、該縦通路に左側に右下方傾斜する状態で連通する構成であってもよい。
(6) 実施例では、裏ユニットとは別体の通路形成部材に第１右縦通路および第２右傾斜通路を形成したが、裏ユニット自体に両通路を一体で形成する構成を採用し得る。
(7) 実施例では、入賞口から球検出手段までの流通経路が長い球通路について、突起の他に段差や干渉部等を更に設けたが、少なくと球検出手段の直前に突起があれば、連続するパチンコ球の間に隙間を形成して球検出手段の誤検出を防止することができるものであって、更に段差や干渉部等を設けることで球検出手段の誤検出をより確実に防ぐことができるものである。
(8) 実施例では、パチンコ球を検出する球検出手段として、機械式のセンサを用いたが、該球検出手段としては、通過孔をパチンコ球が通過する際の磁気や静電容量の変化によって球検出を非接触で行なう近接センサを用いることもできる。
(9) 実施例では、第２右傾斜通路の略全体に突壁を設けたが、該第２右傾斜通路の上流端より所定長さだけ下流側から突壁を形成し、該第２右傾斜通路において上流側より下流側の断面積が小さくなるよう構成することもできる。
(10) 実施例では、傾斜通路の後壁の一部に突壁を突設することで、上流側より下流側の断面積を小さくするようにしたが、傾斜通路の全体が途中から縮む構成であってもよい。
(11) 遊技機としては、パチンコ機に限られるものではなく、アレンジボール機やパチンコ球を用いたスロットマシン等、その他各種の遊技機であってもよい。
【符号の説明】
【００５０】
１０  遊技盤
１１  板部材
１１ａ  遊技領域
１５  裏ユニット
２１ａ  上左普通入賞口(入賞口)
２１ｂ  下左普通入賞口(入賞口)
２２ａ  上右普通入賞口(入賞口)
２２ｂ  下右普通入賞口(入賞口)
２５  左球通路(球通路)
２５ｂ  後壁
２６  右球通路(球通路)
３０  左普通入賞センサ(球検出手段)
３０ｂ  通過孔
３２  左突起(突起)
３３  第１右縦通路(縦通路)
３６  球導入路(傾斜通路)
３７  第２右傾斜通路(傾斜通路)
３７ａ  第１傾斜部
３７ｂ  第２傾斜部
３８  右普通入賞センサ(球検出手段)
３８ｂ  通過孔
３９ａ  後壁
３９ｂ  上壁
４４  右突起(突起)
４５  干渉部
Ｂ  パチンコ球(遊技球)
【図１】
2011030860.tif 000003
【図２】
2011030860.tif 000004
【図３】
2011030860.tif 000005
【図４】
2011030860.tif 000006
【図５】
2011030860.tif 000007
【図６】
2011030860.tif 000008
【図７】
2011030860.tif 000009